(57)【要約】【課題】手間を要することなく、壁下地に充分な強度で固定できる入巾木の提供。【解決手段】壁材３０と床材２０との境界部に沿って延設される長尺な入巾木１０Ａであって、壁材３０と、壁材３０が固定される横胴縁（壁下地）４０との間で挟持される長尺な平板からなる被挟持部１１と、被挟持部１１の下端に設けられ、壁材３０の下方に位置するように突出した長尺な壁材保護部１２と、壁材保護部１２から垂下した長尺な平板からなり、壁材保護部１２の突出先端部よりも横胴縁（壁下地）４０側に位置する目透し部１７と、を有する。【選択図】図２
2016037783.tif 000002
【特許請求の範囲】
【請求項１】
壁材と床材との境界部に沿って延設される長尺な入巾木であって、
前記壁材と、前記壁材が固定される壁下地との間で挟持される長尺な平板からなる被挟持部と、
前記被挟持部の下端に設けられ、前記壁材の下方に位置するように突出した長尺な壁材保護部と、
前記壁材保護部から垂下した長尺な平板からなり、前記壁材保護部の突出先端部よりも前記壁下地側に位置する目透し部と、
を有する、入巾木。
【請求項２】
前記壁材保護部は、柱状体からなる、請求項１に記載の入巾木。
【請求項３】
前記目透し部の下端には、弾性変形可能な舌片が長手方向に沿って設けられている、請求項１または２に記載の入巾木。
【請求項４】
前記目透し部は、前記被挟持部よりも表側に位置している、請求項１〜３のいずれか一項に記載の入巾木。
【請求項５】
前記目透し部には、前記壁下地側に突出して前記壁下地に突き当たるリブが形成されている、請求項４に記載の入巾木。
【発明の詳細な説明】
【技術分野】
【０００１】
本発明は、壁材と床材との境界部に沿って延設される入巾木に関する。
【背景技術】
【０００２】
壁材と床材との境界部には、壁材下部の保護、意匠性等の観点から、巾木を設けることが一般に行われている。巾木としては、従来、壁面よりも表側（室内側）に出張って設けられる出巾木が広く採用されてきたが、最近では、壁面よりも引っ込んで凹所を形成するように設けられる入巾木が提案されている。入巾木は、出巾木に比べて高級感があり、空間が広く感じられる等のメリットがあるとされている。
【０００３】
入巾木としては、たとえば特許文献１および２に、壁材と床材との境界部に凹所を形成するように設けられるベース部材と、該ベース部材の凹所の表面に沿うように嵌め込まれるカバー部材とを備えたものが記載されている。これら特許文献には、ベース部材の取り付け方法として、柱材や間柱、横桟、胴縁等の壁下地に対して、ねじや釘等の固定止具で固定する方法、接着剤や粘着テープ等の粘着材で固定する方法が記載されている。
【先行技術文献】
【特許文献】
【０００４】
【特許文献１】特開２０１２−２１３４９号公報
【特許文献２】特開２０１２−２１３５０号公報
【発明の概要】
【発明が解決しようとする課題】
【０００５】
しかしながら、入巾木を固定する壁下地が柱材や間柱である場合に、粘着材を用いて特許文献１および２に記載のベース部材を固定すると、充分な接着強度で固定できなかった。すなわち、柱材や間柱は、水平方向に連続的でなく間欠的に配置されたものであるため、ベース部材との間に充分な接着面積を確保できず、そのため、接着強度が不充分となった。よって、ベース部材を柱材や間柱に対して確実に固定するためには、ねじや釘等の固定止具で固定する方法を採用せざるを得ない。
ところが、ねじや釘等の固定止具で固定する方法は手間がかかる。そのうえ、ベース部材を固定止具で固定した後、石膏ボード等の壁材を固定する際にも、固定止具を用いてこれを壁下地に固定する作業が必要となる。
このように特許文献１および２の入巾木を使用した場合には、入巾木のベース部材の固定と壁材の固定とのそれぞれにおいて、ねじや釘等の固定止具による固定が必要となり、施工に手間がかかる。
【０００６】
本発明は上記事情に鑑みてなされたもので、手間を要することなく、壁下地に充分な強度で固定できる入巾木の提供を課題とする。
【課題を解決するための手段】
【０００７】
本発明者は鋭意検討した結果、壁材と、壁材が固定される壁下地との間で挟持される被挟持部を有する入巾木により、上記課題を解決できることを見出し、本発明を完成させた。本発明は以下の構成を有する。
［１］壁材と床材との境界部に沿って延設される長尺な入巾木であって、前記壁材と、前記壁材が固定される壁下地との間で挟持される長尺な平板からなる被挟持部と、前記被挟持部の下端に設けられ、前記壁材の下方に位置するように突出した長尺な壁材保護部と、前記壁材保護部から垂下した長尺な平板からなり、前記壁材保護部の突出先端部よりも前記壁下地側に位置する目透し部と、を有する、入巾木。
［２］前記壁材保護部は、柱状体からなる、［１］に記載の入巾木。
［３］前記目透し部の下端には、弾性変形可能な舌片が長手方向に沿って設けられている、［１］または［２］の入巾木。
［４］前記目透し部は、前記被挟持部よりも、表側に位置している、［１］〜［３］のいずれかの入巾木。
［５］前記目透し部には、前記壁下地側に突出して前記壁下地に突き当たるリブが形成されている、［４］の入巾木。
【発明の効果】
【０００８】
本発明の入巾木によれば、手間を要することなく、壁下地に充分な強度で固定できる。
【図面の簡単な説明】
【０００９】
【図１】第１実施形態例の入巾木を示す（ａ）斜視図および（ｂ）断面図である。
【図２】第１実施形態例の入巾木の使用例を示す断面図である。
【図３】第１実施形態例の入巾木の施工方法を説明する断面図である。
【図４】第１実施形態例の入巾木の施工方法を説明する断面図である。
【図５】第２実施形態例の入巾木の使用例を示す断面図である。
【図６】第３実施形態例の入巾木の使用例を示す断面図である。
【図７】第４実施形態例の入巾木の使用例を示す断面図である。
【図８】第５実施形態例の入巾木の使用例を示す断面図であり、（ａ）舌片が表側に延出している例、（ｂ）舌片が裏側に延出している例の要部拡大図である。
【図９】壁材保護部の他の形態を示す断面図である。
【発明を実施するための形態】
【００１０】
本発明の入巾木は、壁材と床材の境界部に沿って設けられる長尺な部材である。
以下、本発明について、建築物の室内に入巾木が設けられた形態として、第１〜第５実施形態例を挙げて説明する。
第１実施形態例および第２実施形態例は、壁下地として、水平方向に沿って延在する横胴縁が設けられている場合の例である。第３〜第５実施形態例は、壁下地が水平方向に間欠的に配置された柱材であって胴縁が設けられていない場合の例である。
【００１１】
＜第１実施形態例＞
図１は、第１実施形態例の入巾木を示す図であって、（ａ）斜視図および（ｂ）断面図である。図２は、図１の入巾木の使用例を示す断面図である。
この例の入巾木１０Ａは、石膏ボード等の内壁材である壁材３０と、木質系フローリング材等からなる床材２０との境界部に沿って、水平方向に延設されるものであって、異形押出成形により一体成形された、全長２０００ｍｍ程度の長尺な樹脂製の押出成形品である。
【００１２】
この例においては、壁下地として、横胴縁４０が設けられている。横胴縁４０は、図示略の柱材および間柱に固定され、壁材３０はこの横胴縁４０に、ねじや釘等の固定止具７０で固定されている。
この例のように壁下地として横胴縁４０が設けられている場合、施工後の床材２０と横胴縁４０とは、図２に示すように、横胴縁４０の下方に床材２０の周縁部が潜り込むような位置関係となる。
【００１３】
入巾木１０Ａは、壁材３０と横胴縁（壁下地）４０との間で挟持される長尺な平板からなる被挟持部１１と、被挟持部１１の下端１１ａに連続して設けられ、壁材３０の下方に位置するように室内側に突出した長尺な壁材保護部１２と、壁材保護部１２から垂下した長尺な平板からなる目透し部１７とを有する。この例の入巾木１０Ａは、被挟持部１１、壁材保護部１２および目透し部１７の各裏面が、同一平面上（面一）に形成され、横胴縁４０に接している。図中、符号Ｒは、室内空間を示している。
壁材３０と壁材保護部１２の表面には、壁紙等の表面材６０が貼着される。
【００１４】
なお、本明細書において、「表面」とは室内側の面を意味し、「裏面」とは室内側とは反対側の面を意味する。また、室内側を「表側」、室内側とは反対側を「裏側」という場合がある。
【００１５】
被挟持部１１は、入巾木１０Ａを横胴縁４０に固定するために使用される部分であり、壁材３０と横胴縁４０との間に挟持、保持される。このような被挟持部１１を有する入巾木１０Ａであれば、ねじや釘等の固定止具７０を打ち込んで壁材３０を横胴縁４０に固定する際に、壁材３０と横胴縁４０との間にあらかじめ被挟持部１１を介在させておくことにより、壁材３０の固定と同時に、入巾木１０Ａの固定も行える。そのため、このような入巾木１０Ａによれば、入巾木１０Ａを固定するための固定作業を別途行う必要がなく、施工の手間がかからない。また、入巾木１０Ａは固定止具７０で固定されるため、確実に固定される。
【００１６】
被挟持部１１の高さ（入巾木の長手方向に対して垂直方向の高さ）Ｈ１は、固定止具７０を打ち込むのに充分な高さを備えていればよく、この例では２５ｍｍとされている。被挟持部１１の高さＨ１は、たとえば１０〜５０ｍｍの範囲内が好ましい。
被挟持部１１の厚みＤ１は、できるだけ薄い方が、横胴縁４０と壁材３０とで挟持した際にその厚みが吸収されやすい点で好ましい。さらに成形性等も勘案し、この例では１ｍｍとされている。被挟持部１１の厚みＤ１は、たとえば０．５〜１．５ｍｍの範囲内が好ましい。
【００１７】
壁材保護部１２は、壁材３０の施工時には、壁材３０の位置決めのために壁材３０が仮載置される部分である。また、壁材３０の施工後には、壁材３０の下方に位置することにより、掃除機がぶつかる等の衝撃から、壁材３０の下端周辺を保護する作用を奏する。この例では、壁材３０の下端と、壁材保護部１２の上面とが接している。そのため、壁材保護部１２には、施工時に壁材３０が仮載置された際に壁材３０の荷重に耐える強度と、施工後に外部から衝撃を受けた際にその衝撃に耐える耐衝撃性を備えていることが求められる。このような観点から、壁材保護部１２は、柱状体で形成されていることが好ましい。
【００１８】
この例の壁材保護部１２は、長手方向に沿う中空部を有する長尺な柱状体（筒体）からなり、長手方向が水平となるように位置している。壁材保護部１２は具体的には、互いに対向配置された上面板部１３および下面板部１４と、上面板部１３および下面板部１４の突出先端部（室内側の端部）同士を連結する前面板部１５と、該前面板部１５に対向配置され、上面板部１３および下面板部１４の突出基端部（室内側とは反対側の端部）同士を連結する裏面板部１６とで形成され、横断面が四角形の長尺な筒体である。横断面とは、長手方向に垂直な断面を意味する。柱状体を用いることにより、強度と耐衝撃性とに優れる壁材保護部を形成でき、柱状体として特に筒体を選択することにより、さらに軽量性を備え、材料コストも抑制された壁材保護部１２を形成できる。
【００１９】
この例では、壁材保護部１２の上面板部１３は、表側に向かって斜め上方に傾斜して形成されている。具体的には、被挟持部１１と上面板部１３とがなす角度αは、８８度とされている。このように壁材保護部１２の上面が表側に向かって斜め上方に傾斜していると、上面板部１３と壁材３０の下面は線接触状態で当接する。そのため、壁材３０の下面の小口が粗面、不陸であっても、壁材３０の表面３０ａと壁材保護部１２の前面板部１５の表面との境界に隙間が生じにくい。そのため、後述するパテ塗りを均質に行うことができ、壁紙等の表面材６０も良好に密着する。角度αは、８５〜９０度が好ましい。
【００２０】
壁材保護部１２は、被挟持部１１の下端１１ａから連続し、室内側に突出して形成されているが、その突出長さＬ１は、壁材３０の厚みＤ２に応じて決定され、壁材３０の厚みＤ２と同じ値であることが好ましい。壁材保護部１２の突出長さＬ１と壁材３０の厚みＤ２とが同じ値であると、壁材３０の表面３０ａと壁材保護部１２の前面板部１５の表面とが面一となり、これらの境界部に段差が形成されない。そのため、これらの面上に壁紙等の表面材６０を貼った際の外観が優れる。この例では、壁材３０として厚みＤ２が１２．５ｍｍの石膏ボードが使用されているため、突出長さＬ１も１２．５ｍｍとされている。
【００２１】
壁材保護部１２の上面板部１３、下面板部１４、前面板部１５および裏面板部１６の各厚み、壁材保護部１２の高さは、壁材保護部１２に要求される強度および耐衝撃性、軽量性、材料コスト等に応じて決定される。この例では、上面板部１３、下面板部１４、前面板部１５および裏面板部１６の厚みは、いずれも１ｍｍとされている。また、壁材保護部１２の高さは、前面板部１５の表面の高さＨ２として、１０ｍｍとされている。上面板部１３、下面板部１４、前面板部１５および裏面板部１６の各厚みはたとえば１．０〜２．０ｍｍの範囲内が好ましく、壁材保護部１２の表面側の高さＨ２は、５〜２５ｍｍの範囲内が好ましい。
【００２２】
目透し部１７は、入巾木１０Ａの施工後に「目透し」となる部分である。
目透し部１７は、壁材保護部１２から垂下した長尺な平板からなり、その下端が床材２０の床面２０ａに接する。目透し部１７は、「目透し」としての作用を奏するために、壁材保護部１２の突出先端部よりも壁下地側、すなわち裏側に位置することが必要である。この例では、目透し部１７は、壁材保護部１２の裏面板部１６に連続し、裏面板部１６から垂下しており、被挟持部１１、壁材保護部１２および目透し部１７の各裏面が面一となっている。
【００２３】
目透し部１７の高さＨ３は、高級感、意匠性等の観点から、この例では１５ｍｍとされている。目透し部１７の高さＨ３は、たとえば５〜２５ｍｍの範囲内が好ましい。
目透し部１７の厚みＤ３は、施工時に壁材保護部１２に壁材３０が仮載置されたときに、壁材３０の荷重に耐える強度を備えるように決定される。この例では、強度の観点から、被挟持部１１よりも若干厚い１．５ｍｍとされている。目透し部１７の厚みＤ３は、たとえば１．０〜２．５ｍｍの範囲内が好ましい。
【００２４】
この例の入巾木１０Ａは、樹脂で形成されている。
樹脂としては、塩化ビニル樹脂、ポリプロピレン樹脂、ポリエチレン樹脂、ポリスチレン樹脂、ＡＢＳ樹脂、ＡＳＡ樹脂、ＰＥＴ樹脂などが挙げられる。樹脂には、たとえば炭酸カルシウム等の増量材を配合してもよい。入巾木は、金属・木材（合成木材を含む）で形成してもよい。
【００２５】
次に、第１実施形態例の入巾木１０Ａの施工方法を説明する。
まず、床材２０を図示略の床下地上に施工する。また、横胴縁４０を床材２０の上に載せ、図示略の柱材および間柱に対して固定する。施工後の床材２０と横胴縁４０とは、横胴縁４０の下方に床材２０の周縁部が潜り込むような位置関係となる。
【００２６】
ついで、図１の入巾木１０Ａの裏面（面一に形成された被挟持部１１の裏面と壁材保護部１２の裏面と目透し部１７の裏面。）の少なくとも一部に、図示略の両面粘着テープを貼る等して粘着材を設けてから、図３に示すように、目透し部１７の下端が床材２０の床面２０ａに接地するように入巾木１０Ａを水平に配置しつつ、入巾木１０Ａの裏面を横胴縁４０に押し当て、粘着材で入巾木１０Ａを横胴縁４０に仮固定する。
【００２７】
ついで、図４に示すように、壁材３０の下端が壁材保護部１２の上面板部１３の上面に接するように、壁材３０を壁材保護部１２上に仮載置し、壁材３０の位置決めをする。そして、壁材３０とともに、壁材３０と横胴縁４０との間に挟持された入巾木１０Ａの被挟持部１１をも貫通するように、壁材３０の表面側から固定止具７０を打ち込み、壁材３０と入巾木１０Ａとをともに横胴縁４０に固定する。
【００２８】
ついで、壁材３０の表面３０ａと壁材保護部１２の前面板部１５の表面にわたって、壁紙等の表面材６０を貼ることにより、図２の状態に施工される。表面材６０を貼る前には、壁材３０の表面３０ａと壁材保護部１２の前面板部１５の表面との境界部分に、必要に応じてパテ塗りを行い、溝を埋める作業を行ってもよい。また、表面材６０の下端は、壁材保護部１２の下面板部１４に沿うように巻き込んでもよいし、図２に示すように壁材保護部１２の前面板部１５と下面板部１４との境界線に沿ってカットしてもよい。
【００２９】
以上説明したように、この例の入巾木１０Ａは、壁材３０と横胴縁４０との間で挟持される被挟持部１１を有する。そのため、ねじや釘等の固定止具７０により壁材３０を横胴縁４０に固定する際に、壁材３０と横胴縁４０との間にあらかじめ入巾木１０Ａの被挟持部１１を配置しておくことにより、壁材３０を固定するための１回の固定止具７０の打ち込みにより、入巾木１０Ａも同時に固定できる。そのため、入巾木１０Ａを固定するために、入巾木１０Ａのみをねじや釘等の固定止具で横胴縁４０に固定する作業を別途行う必要がなく、施工に手間がかからない。仮に入巾木に被挟持部が無い場合に、入巾木を横胴縁に確実に固定するためには、壁材の固定作業とは別に、入巾木のたとえば目透し部等に固定止具を打ち込んで入巾木を固定する作業が必要となり、手間がかかり、施工性が低下する。
【００３０】
＜第２実施形態例＞
図５は、第２実施形態例の入巾木１０Ｂの使用例を示す断面図である。
第２実施形態例の入巾木１０Ｂは、目透し部１７の下端に、表側に延出する弾性変形可能な舌片１８が長手方向に沿って設けられている点で、第１実施形態例の入巾木１０Ａと異なる。この例の入巾木１０Ｂは、床材２０が木質系フローリング材等の木質系材料からなる場合に好適に使用される。
その理由は以下のとおりである。
木質系材料からなる床材２０は、床材２０の施工後、年月の経過に伴って収縮しやすく、そのため、床面２０ａが徐々に沈んでいき、床面２０ａと横胴縁４０の下端との間に隙間があくことがある。このような場合に、目透し部１７の下端に、弾性変形可能な舌片１８が設けられていると、床面２０ａが徐々に沈降して横胴縁４０の下端と床面２０ａとの間に隙間があいても、舌片１８の先端が床面２０ａに追従するように変形することにより、横胴縁４０の下端と床面２０ａとの隙間を隠すことができる。そのため、長期にわたって美観を維持できる。
【００３１】
舌片１８は、たとえば軟質塩化ビニル樹脂、熱可塑性エラストマー（たとえば、オレフィン系熱可塑性エラストマー、スチレン系熱可塑性エラストマー、ポリエステル系熱可塑性エラストマー等。）等の軟質樹脂により、形成できる。
舌片１８は、入巾木の他の部分と一体に、二色押出成形により製造できる。
なお、入巾木１０Ｂの舌片１８以外の部分には、先に例示した塩化ビニル樹脂、ポリプロピレン樹脂、ポリエチレン樹脂、ポリスチレン樹脂、ＡＢＳ樹脂、ＡＳＡ樹脂、ＰＥＴ樹脂などが好適に使用される。
【００３２】
第２実施形態例の入巾木１０Ｂは、第１実施形態例の入巾木１０Ａと同様に施工できる。ただし、第２実施形態例の入巾木の舌片１８は、床材２０の沈降に伴って変形する必要がある。そのため、入巾木１０Ｂの仮固定は、舌片１８以外の部分を用いて行う。
【００３３】
＜第３実施形態例＞
図６は、第３実施形態例の入巾木１０Ｃの使用例を示す断面図である。
この例において、壁下地は、水平方向に間隔をあけて立設された複数本の柱材５０であって、壁下地として胴縁は設けられていない。そのため、壁材３０は、ねじや釘等の固定止具７０で、柱材５０に直に固定されている。なお、柱材と柱材の間には、図示略の間柱が必要に応じて立設され、間柱に対しても壁材３０が固定止具７０で固定されていてよい。
この例のように壁下地として胴縁が設けられない場合、施工後の床材２０と柱材５０とは、床材２０の周端部が柱材５０よりも表側に位置し、床材２０の周端部と柱材５０の表面との間には、たとえば数ｍｍ程度の隙間Ｓが存在する位置関係となる。第３実施形態例の入巾木１０Ｃは、このように隙間Ｓが形成される場合において、好適に使用される。
【００３４】
第３実施形態例の入巾木１０Ｃにおいて、目透し部１７は、被挟持部１１よりも、表側に位置している。より具体的には、目透し部１７の表面１７ａは、被挟持部１１の表面１１ａよりも表側にせり出し、壁材保護部１２の前面板部１５の表面よりも裏側に位置している。すなわち、第３実施形態例の入巾木１０Ｃは、目透し部１７が、目透しとして作用するために、壁材保護部１２の突出先端部よりも壁下地側（裏側）に位置している点では、第１実施形態例の入巾木１０Ａと同様である。しかしながら、第１実施形態例では、目透し部１７が壁材保護部１２の裏面板部１６から垂下しているのに対して、第３実施形態例では、目透し部１７が、より表側の位置から垂下している点で異なっている。
被挟持部１１および壁材保護部１２の各裏面は、同一平面上（面一）に形成され、目透し部１７の裏面は、被挟持部１１および壁材保護部１２の各裏面よりも表側に位置している。
【００３５】
このように目透し部１７が被挟持部１１よりも表側に位置している第３実施形態例の入巾木１０Ｃは、図示例のように、壁下地として胴縁が設けられていない場合に、好適に使用される。
この理由は以下のとおりである。
上述のとおり、壁下地として胴縁が設けられていない場合、施工後の床材２０と柱材５０とは、床材２０の周端部が柱材５０よりも表側に位置し、床材２０の周端部と柱材５０の表面との間には、隙間Ｓが存在する位置関係となる。このような場合において、目透し部１７が被挟持部１１よりも表側に位置している入巾木１０Ｃを用いると、目透し部１７が床材２０の周端部と柱材５０の表面の隙間Ｓよりも表側に位置して、隙間Ｓを隠すことができる。そのため、美観を維持できる。
目透し部１７を被挟持部１１よりもどの程度表側にずらして設けるかについては、隙間Ｓの大きさに応じて決定すればよい。
【００３６】
第３実施形態例の入巾木１０Ｃは、第１実施形態例の入巾木１０Ａと同様に施工できる。ただし、第３実施形態例の入巾木１０Ｃの目透し部１７は、被挟持部１１よりも表側に位置している。そのため、施工後において、目透し部１７と柱材５０とは図示のように離間しており接触しない。よって、入巾木１０Ｃの仮固定は、目透し部１７以外の部分を用いて行う。
【００３７】
また、本第３実施形態例や、図７〜図８に示す後述の第４および第５実施形態例のように、壁下地が水平方向に間欠的に配置された柱材５０である場合において、被挟持部１１を有する入巾木１０Ｃ、１０Ｄ、１０Ｅを用いることは、施工の手間を省きつつ、入巾木１０Ｃ、１０Ｄ、１０Ｅを確実、充分に固定する点で、特に有効である。
すなわち、固定止具を使用せず、粘着材だけで入巾木１０Ｃ、１０Ｄ、１０Ｅを固定しようとすると、間欠的に配置された柱材５０では、入巾木１０Ｃ、１０Ｄ、１０Ｅとの間に接着面積を充分に確保できず、固定強度が特に不充分となりやすい。そのため、このような場合には、固定止具を打ち込んで、入巾木１０Ｃ、１０Ｄ、１０Ｅを柱材５０に固定することが必要となる。この際、使用する入巾木が、被挟持部１１を有する入巾木１０Ｃ、１０Ｄ、１０Ｅであれば、壁材３０と柱材（壁下地）５０との間に被挟持部１１をあらかじめ配置しておくことにより、壁材３０を固定するための１回の固定止具７０の打ち込みにより、入巾木１０Ｃ、１０Ｄ、１０Ｅも同時に、かつ確実に固定できる。これに対して被挟持部を有しない入巾木の場合には、上述のとおり、壁材の固定作業とは別に、入巾木のみを固定止具で固定する作業が別途必要となり、施工に手間を要する。
【００３８】
＜第４実施形態例＞
図７は、第４実施形態例の入巾木１０Ｄの使用例を示す断面図である。
第４実施形態例の入巾木１０Ｄは、目透し部１７の下部に、壁下地側（裏側）に突出して柱材５０に突き当たるリブ１９が長手方向に沿って形成されている点で、第３実施形態例の入巾木１０Ｃと異なる。このようなリブ１９が形成されていると、目透し部１７に対して表側から衝撃が加わった場合等でも変形しにくく強度に優れる。この例では、目透し部１７の下端に沿って、リブ１９が形成されている。この例の入巾木１０Ｄも、第３実施形態例の入巾木１０Ｃと同様に目透し部１７が被挟持部１１よりも表側に位置しているため、床材２０の周端部と柱材５０の表面との間の隙間Ｓを隠すことができる。
なお、目透し部１７の下部とは、目透し部１７の高さ方向の中央よりも下の部分を意味する。
【００３９】
リブ１９は、入巾木１０Ｄの他の部分と一体に、先に例示した塩化ビニル樹脂、ポリプロピレン樹脂、ポリエチレン樹脂、ポリスチレン樹脂、ＡＢＳ樹脂、ＡＳＡ樹脂、ＰＥＴ樹脂などを用いた異形押出成形により製造できる。
また、第４実施形態例の入巾木１０Ｄは、第３実施形態例の入巾木１０Ｃと同様に施工できる。
なお、リブは、長手方向に沿って連続的に形成されていなくてもよく、長手方向に沿って間欠的、部分的に形成されていてもよい。
【００４０】
＜第５実施形態例＞
図８（ａ）は、第５実施形態例の入巾木１０Ｅの使用例を示す断面図である。
第５実施形態例の入巾木１０Ｅにおいては、目透し部１７の下端には、第２実施形態例と同様に、表側に延出する弾性変形可能な舌片１８が長手方向に沿って設けられ、かつ、目透し部１７の下部には、第４実施形態例と同様に、壁下地側（裏側）に突出して柱材５０に突き当たるリブ１９が長手方向に沿って形成されている。
この例の入巾木１０Ｅは、舌片１８を有しているため、第２実施形態例の入巾木１０Ｂについて説明したとおり、床材２０が木質系フローリング材等の木質系材料からなり、年月の経過に伴って床面２０ａが徐々に沈んでいきやすい場合に使用されて、床面２０ａの沈降により生じた隙間を隠すことができる。また、この例の入巾木１０Ｅは、リブ１９が形成されているため、第４実施形態例の入巾木１０Ｄについて説明したとおり、目透し部１７が変形しにくく強度に優れる。また、この例の入巾木１０Ｅも、第３および第４実施形態例の入巾木１０Ｃ、１０Ｄと同様に目透し部１７が被挟持部１１よりも表側に位置しているため、床材２０の周端部と柱材５０の表面との間の隙間Ｓを隠すことができる。
【００４１】
舌片１８は、第２実施形態例において説明した方法と同様に製造できる。リブ１９は、第４実施形態例において説明した方法と同様に製造できる。
また、第５実施形態例の入巾木は、第３実施形態例の入巾木１０Ｃと同様に施工できる。
また、舌片１８は、図８（ｂ）に示すように、裏側に延出するように形成されていてもよい。
【００４２】
＜その他の形態＞
以上の各例では、壁材保護部１２として、軽量性、強度、耐衝撃性、材料コスト等の観点から、横断面が四角形の筒体からなるものを例示した。しかしながら、壁材保護部としての機能を果たす限り、その横断面は四角形に限定されない。また、長尺な筒体に限定されず、長尺な中実の柱状体でもよい。
また、図９に示すように、壁材保護部１２が前面板部１５と下面板部１４とを有して形成されている場合に、これらの境界部分が曲面状に形成されていてもよい。このように曲面状に形成されていると、壁紙等の表面材６０の下端を壁材保護部１２の下面板部１４に沿うように巻き込んで施工する場合に、巻き込みやすい。
また、以上の例では、壁材３０として石膏ボードを例示し、床材として木質系フローリング材を例示したが、壁材および床材は、これらに限定されない。
また、以上の例では、入巾木の固定方法として、壁材とともにねじや釘等の固定止具で壁下地に固定する例を示したが、入巾木を固定するために、入巾木のみを固定止具で壁下地に固定してもよく、固定の方法に制限はない。
【符号の説明】
【００４３】
１０Ａ、１０Ｂ、１０Ｃ、１０Ｄ、１０Ｅ…入巾木
１１…被挟持部
１１ａ…被挟持部の表面
１２…壁材保護部
１７…目透し部
１７ａ…目透し部の表面
１８…舌片
１９…リブ
２０…床材
３０…壁材
４０…横胴縁（壁下地）
５０…柱材（壁下地）
【図１】
2016037783.tif 000003
【図２】
2016037783.tif 000004
【図３】
2016037783.tif 000005
【図４】
2016037783.tif 000006
【図５】
2016037783.tif 000007
【図６】
2016037783.tif 000008
【図７】
2016037783.tif 000009
【図８】
2016037783.tif 000010
【図９】
2016037783.tif 000011